(57)【要約】【課題】発泡樹脂ブロック相互が安定した状態に保持された構造物、並びに前記構築物を安全かつ簡単に構築できる構造物の構築方法を提供すること。【解決手段】発泡樹脂ブロック３を積み重ねて構築された構造物１であって、前記隣り合う発泡樹脂ブロック３相互がポリマーセメントモルタル１１によって固定されていることを特徴とする。【選択図】　　図２
2004052348.tif 000002
【特許請求の範囲】
【請求項１】
発泡樹脂ブロックを積み重ねて構築された構造物であって、
前記隣り合う発泡樹脂ブロック相互がポリマーセメントモルタルによって固定されていることを特徴とする発泡樹脂ブロックを用いた構造物。
【請求項２】
ポリマーセメントモルタルが、一材型アクリル系ポリマー粒子を用いたモルタルであることを特徴とする請求項１記載の発泡樹脂ブロックを用いた構造物。
【請求項３】
発泡樹脂ブロックを積み重ねて構造物を構築する発泡樹脂ブロックを用いた構造物の構築方法において、
前記隣り合う発泡樹脂ブロック相互間にポリマーセメントモルタルを配置して、前記隣り合う発泡樹脂ブロック相互を固定することを特徴とする発泡樹脂ブロックを用いた構造物の構築方法。
【請求項４】
隣り合う発泡樹脂ブロックの対向する面の一部又は全面にペースト状のポリマーセメントモルタルを塗布又はスプレー散布することで、前記隣り合う発泡樹脂ブロック相互を固定することを特徴とする請求項３に記載の構造物の構築方法。
【請求項５】
隣り合う発泡樹脂ブロックの対向する面の一部又は全面に塊状のポリマーセメントモルタルを配置することで、前記隣り合う発泡樹脂ブロック相互を固定することを特徴とする請求項３に記載の構造物の構築方法。
【発明の詳細な説明】
【０００１】
【発明の属する技術分野】
本発明は、発泡樹脂ブロックを積み重ねて構築される、道路の盛土、直立壁、橋台、ロックシェッド等の構造物およびその構築方法に関するもので、特に、発泡樹脂ブロック相互が安定した状態に保持された構造物およびその構築方法に関するものである。
【０００２】
【従来の技術】
従来、発泡樹脂ブロックを用いた構造物の構築方法としては、例えば、特公平３−７６３６４号公報に掲載の技術が開示されている。図５〜図８は従来の構造物の一例である道路を示す。
【０００３】
図５〜図８において、道路１は軟弱な地盤２を掘り下げてその部分に発泡樹脂ブロック３を積み上げ、その上に盛土４を施した後、前記盛土４の上面をアスファルトなどの舗装材５で覆ったものである。この発泡樹脂ブロック３は軟弱な地盤２に構築したときの地盤沈下を防止するための軽量構造材として作用する。
【０００４】
図６に示すように、前記発泡樹脂ブロック３相互は緊結用金具２１によって連結されている。前記緊結用金具２１は、図８に示すように、四角形の金属板であり、発泡樹脂ブロック３を相互に緊結して固定するための爪２２が各辺に２箇所、合計８箇所に設けられている。この爪２２は指などで平面に対して直角方向に簡単に折り曲げることができる。
【０００５】
前記緊結用金具２１は各爪２２を互いに同方向または反対方向に折り曲げて発泡樹脂ブロック３の上面、下面或いは側面に突き刺すことにより、図６及び図７に示すように、上下あるいは左右に隣り合う発泡樹脂ブロック３相互を連結する。
【０００６】
このように構成された道路１は、積み重ねられた隣り合う発泡樹脂ブロック３相互が緊結用金具２１によって連結されているので、発泡樹脂ブロック３が水平方向、上下方向、斜め方向にずれて崩壊するのを効果的に防止できるようになっている。
【０００７】
【発明が解決しようとする課題】
ところが、この従来の構造物の構築方法は、緊結用金具２１の爪２２を折り立てて、この緊結用金具２１の下方及び上方に突出した爪２２を発泡樹脂ブロック３の上面、下面或いは側面に突き刺さして、隣り合う発泡樹脂ブロック３相互を連結して固定するようにしたものであるから、構築物を構築するときの隣り合う発泡樹脂ブロック３相互の連結作業時に、鋭い爪２２によって怪我をする危険性があった。また、緊結用金具２１は１個１個手作業で設置しなければならず、その設置数も多いため、その設置作業や運搬が大変であった。
【０００８】
本発明は、このような事情に鑑みなされたものであり、発泡樹脂ブロック相互が安定した状態に保持された構造物、並びに前記構築物を安全かつ簡単に構築できる構造物の構築方法を提供することを目的とするものである。
【０００９】
【課題を解決するための手段】
請求項１記載の発明は、発泡樹脂ブロックを積み重ねて構築された構造物であって、前記隣り合う発泡樹脂ブロック相互がポリマーセメントモルタルによって固定されていることを特徴とする発泡樹脂ブロックを用いた構造物をその要旨とするものである。
【００１０】
請求項２記載の発明は、ポリマーセメントモルタルが、一材型アクリル系ポリマー粒子を用いたモルタルであることを特徴とする請求項１記載の発泡樹脂ブロックを用いた構造物をその要旨とするものである。
【００１１】
請求項３記載の発明は、発泡樹脂ブロックを積み重ねて構造物を構築する発泡樹脂ブロックを用いた構造物の構築方法において、
前記隣り合う発泡樹脂ブロック相互間にポリマーセメントモルタルを配置して、前記隣り合う発泡樹脂ブロック相互を固定することを特徴とする発泡樹脂ブロックを用いた構造物の構築方法をその要旨とするものである。
【００１２】
請求項４記載の発明は、隣り合う発泡樹脂ブロックの対向する面の一部または全面にペースト状のポリマーセメントモルタルを塗布またはスプレー散布することで、前記隣り合う発泡樹脂ブロック相互を固定することを特徴とする請求項３に記載の構造物の構築方法をその要旨とするものである。
【００１３】
請求項５記載の発明は、隣り合う発泡樹脂ブロックの対向する面の一部または全面に塊状のポリマーセメントモルタルを配置することで、前記隣り合う発泡樹脂ブロック相互を固定することを特徴とする請求項３に記載の構造物の構築方法をその要旨とするものである。
【００１４】
【発明の実施の形態】
以下、本発明の発泡樹脂ブロックを用いた構築物を図１〜図４に示す好ましい一実施例に基づいて説明する。図１及び図２は発泡樹脂ブロック３を用いて道路１を構築した例を示すものである。この例において、道路１は軟弱な地盤２を掘り下げ、その部分に発泡樹脂ブロック３を積み上げた後、その上に盛土４を施し、更にその上面をアスファルトなどの舗装材５で覆ったものである。
【００１５】
前記発泡樹脂ブロック３は本実施例では縦２ｍ、横１ｍ、高さ０．５ｍで、１個当りの重さが２０〜３０ｋｇのものを使用しているが、その大きさ、重量は構造物に応じて適宜設定すればよい。材質は強度、重量等を考慮して、ポリスチレン、ポリウレタン、ポリ塩化ビニル等の合成樹脂発泡材を用いている。
【００１６】
また図２に示すように、上下の発泡樹脂ブロック３相互間には、ポリマーセメントモルタル１１が配置されていて、前記上下の発泡樹脂ブロック３相互が固定されている。ポリマーセメントモルタル１１としては、アクリル系、ＳＢＲ系、ＥＶＡ系のいずれか１種のポリマー粒子（一材型ポリマー粒子）、あるいはこれらを混合した複数種のポリマー粒子（多材型ポリマー粒子）に、水、セメント及び骨材を加えて混練したモルタルを挙げることができる。中でも一材型ポリマー粒子を用いたモルタル、特には一材型アクリル系ポリマー粒子を用いたモルタルは、取り扱い性の点で好ましい。図２に示す例では、一材型アクリル系ポリマー粒子を用いたポリマーセメントモルタル１１が上下の発泡樹脂ブロック３相互間に配置され、前記上下の発泡樹脂ブロック３相互が固定されている。
【００１７】
上記発泡樹脂ブロック３相互間に配置されたポリマーセメントモルタル１１は、該ポリマーセメントモルタルが、水、セメント及び骨材にポリマー粒子を配合したものであるため、該ポリマーセメントモルタル１１は、セメント固有の特性に加えて、含有するポリマー粒子由来の粘着性を有する。この粘着性によって、発泡樹脂ブロック３相互が固定されるようになっている。
【００１８】
ポリマーセメントモルタル１１におけるセメントとポリマー粒子の配合割合によって、モルタルの機械的強度や粘着性は大きく変動する。このため、セメントとポリマー粒子の配合割合は、該モルタル１１の用途や使用状態に応じて適宜決定すると良い。
【００１９】
尚、ポリマーセメントモルタルは、ポリマー粒子、セメント及び骨材を基本材料としているが、高い粘着性が要求される場合には、増粘剤を配合したり、速硬性が要求される場合には、硬化促進剤を配合したり、流動性が要求される場合には、高性能減衰剤を配合したりするなど、それぞれの用途に対応させることができる。
【００２０】
また本発明の構築物には、上記ポリマー粒子、セメント及び骨材の基本材料、さらに必要に応じて増粘剤、硬化促進剤、高性能減衰剤等の材料をプレミックスしたポリマーセメントモルタルを用いることもできる。この場合、現場で水を混ぜるだけであるので施工が容易であり、しかもモルタルの品質を安定に保つことができる。
【００２１】
このようにして構成された道路１は、隣り合う発泡樹脂ブロック３相互がポリマーセメントモルタル１１によって固定されているので、従来の緊結用金具に比べて軽く、しかも安定した状態に保持された構築物となっている。
【００２２】
次に、このように構成された本実施例の構造物である道路の構築方法について説明する。まず、図２及び図３に示すように、軟弱な地盤２を掘り下げ、その部分に第１層目の複数個の発泡樹脂ブロック３を敷設する。次に、これら第１層目の発泡樹脂ブロック３の上面にポリマーセメントモルタル１１を配置する。但し、前記ポリマーセメントモルタル１１は地盤２の変形や地震の振動に対する安定性等を考慮して発泡樹脂ブロック３の上面全体に或いは縁部、隅部等に部分的に配置してもよい。
【００２３】
次いで、前記ポリマーセメントモルタル１１の上面に第２層目の発泡樹脂ブロック３を積み重ねる。以下、同様の要領で所定の高さになるまで、発泡樹脂ブロック３を積み重ねると共に、下層の発泡樹脂ブロック３の上面にポリマーセメントモルタル１１を配置するという作業を繰り返す。発泡樹脂ブロック３を所定高さまで積み上げたら、盛土４を施し、更に、その上面を舗装材５で覆う。これにより、道路１が完成する。
【００２４】
ポリマーセメントモルタル１１の発泡樹脂ブロック３相互間への配置は、例えば図３に示すように、ペースト状のポリマーセメントモルタル１１を用い、これを下層側の発泡樹脂ブロック３の上面側に塗布しつつ、その上に発泡樹脂ブロック３を積み重ねるという方法で行う。その他、ペースト状のポリマーセメントモルタル３をスプレー散布しつつ、発泡樹脂ブロック３を積み重ねるという方法を用いることもできる。
【００２５】
また図４に示すように、塊状のポリマーセメントモルタル１１を用い、このポリマーセメントモルタル１１を下層側の発泡樹脂ブロック３の上面側に配置しつつ、その上に発泡樹脂ブロック３を積み重ねることで、上下の発泡樹脂ブロック１１相互を固定することもできる。
【００２６】
このように、本実施例の構造物の構築方法は、発泡樹脂ブロック３相互間にポリマーセメントモルタル１１を配置しながら、前記発泡樹脂ブロック３を順次積み重ねて構造物（道路１）を構築する方法である。したがって、構造物を軽量化でき、軟弱な地盤２においても道路１が沈下するのを防止することができる。
【００２７】
特に、本実施例の構造物の構築方法によれば、発泡樹脂ブロック３相互間に配置するポリマーセメントモルタル１１が発泡樹脂ブロック３相互のずれを防止し、一定位置に保持するため、地震による振動や車両の通過等によって道路１がずれたり、亀裂が発生したり、崩壊する危険を確実に防ぐことができる。
【００２８】
尚、上記実施例では、ポリマーセメントモルタル１１を発泡樹脂ブロック３の上下間に配置しているが、例えばペースト状のポリマーセメントモルタル１１を用い、この液状のポリマーセメントモルタル１１を発泡樹脂ブロック３の側面に塗布又はスプレー散布することで、ポリマーセメントモルタル１１を発泡樹脂ブロック３の側面間に縦方向に配置して、左右に隣り合う発泡樹脂ブロック３相互を固定することもできる。
【００２９】
なお、本実施例は、構造物として道路１を構築する場合を示しているが、本発明は道路に限られず、土地造成や埋立地にも適用でき、更に、直立壁、ロックシェッド、橋台等の他の構造物にも同様に適用することができる。
【００３０】
【発明の効果】
以上のように、本発明の発泡樹脂ブロックを用いた構造物は、隣り合う発泡樹脂ブロック相互間に配置されたポリマーセメントモルタルによって前記発泡樹脂ブロック相互が固定されているので、軽量であり、しかも発泡樹脂ブロック相互が安定した状態に保持されている。
【００３１】
また、本発明の発泡樹脂ブロックを用いた構造物の構築方法にあっては、隣り合う発泡樹脂ブロック相互の固定に用いるポリマーセメントモルタルが、従来の緊結用金具に比べて軽量であり、しかも安全であるから、より効率的、かつ安全な構築作業を行うことができる。
【００３２】
また、この構造物の構築方法にあっては、ポリマーセメントモルタルを配置した発泡樹脂ブロックの上面又は側面に発泡樹脂ブロックを積み重ねるだけでよいから、作業負担が少なく、かつ、安全に構築作業を行なうことができる。
【００３３】
また、この構造物の構築方法にあっては、隣り合う発泡樹脂ブロック相互間に配置したポリマーセメントモルタルが、発泡樹脂ブロック相互のずれを防止し、一定位置に保持するため、構築物の一部がずれたり、亀裂が発生したり、崩壊する危険を確実に防止することができるなど、安定した状態に保持された構築物を構築することができる。
【００３４】
またこの構築方法によれば、ポリマーセメントモルタルは、隣り合う発泡樹脂ブロックの対向面に配置すればよく、従来の緊結用金具のように、隣り合う発泡樹脂ブロックの境界部分に跨って配置するなど、配置場所の制限がなく、より効率的に構築物の構築を行うことができる。
【図面の簡単な説明】
【図１】本発明の構造物の構築方法によって構築された道路を示す断面図。
【図２】図１の発泡樹脂ブロック相互間にポリマーセメントモルタルを配置した状態を示す拡大断面図。
【図３】発泡樹脂ブロック上面にペースト状のポリマーセメントモルタルを塗布した状態を示す斜視図。
【図４】発泡樹脂ブロック上面に塊のポリマーセメントモルタルを配置した状態を示す斜視図。
【図５】従来の構造物の構築方法によって構築された道路を示す断面図である。
【図６】図５の発泡樹脂ブロックへの緊結用金具の取付状態を示す斜視図である。
【図７】図５の発泡樹脂ブロックへの緊結用金具の取付状態を示す側面図である。
【図８】図６及び図７の緊結用金具を示す平面図である。
【符号の説明】
１・・・道路
３・・・発泡樹脂ブロック
１１・・・ポリマーセメントモルタル
【図１】
2004052348.tif 000003
【図２】
2004052348.tif 000004
【図３】
2004052348.tif 000005
【図４】
2004052348.tif 000006
【図５】
2004052348.tif 000007
【図６】
2004052348.tif 000008
【図７】
2004052348.tif 000009
【図８】
2004052348.tif 000010